(57)【特許請求の範囲】
【請求項１】
発電機モーター、該発電機モーターに接続されるバッテリー、及びエンジンを持つ車両の制御システムであって、
上記発電機モーター、上記バッテリー及び上記エンジンに接続された車両システム制御器を有し、
上記制御器が、
車両の電源停止後の周囲温度を予想するための情報を使用し、
周囲の高温が予想され且つ上記車両の電源がオフされそうであることを判定したときに、上記予想された高い周囲温度に応じて上記バッテリーの目標ＳＯＣが低くなるようにバッテリー調整制御を行ない、周囲の高温が予想された場合であっても上記車両の電源がオフされそうであることを判定しないときには、上記予想された高い周囲温度に応じたバッテリー調整制御を行なわないように構成されている、システム。
【請求項２】
発電機モーター、該発電機モーターに接続されるバッテリー、エンジン、並びに上記発電機モーター、上記バッテリー及び上記エンジンに接続されそれらの動作を制御する車両システム制御器を持つ車両の制御方法であって、
車両の電源停止後の周囲温度を予想するための情報を得る工程、及び
周囲の高温が予想され且つ上記車両の電源がオフされそうであることを判定したときに、上記予想された高い周囲温度に応じて上記バッテリーの目標ＳＯＣが低くなるようにバッテリー調整制御を行ない、周囲の高温が予想された場合であっても上記車両の電源がオフされそうであることを判定しないときには、上記予想された高い周囲温度に応じたバッテリー調整制御を行なわないようにする工程、
を有する方法。
【発明の詳細な説明】
【０００１】
【発明の属する技術分野】
本発明は、概略的には電気自動車（electric vehicle略してEV）及びハイブリッド電気自動車（hybrid electric vehicle略してHEV）に関する。
【０００２】
【従来の技術】
内燃機関（Internal Combustion Engine略してICE）により駆動される自動車などの車両における化石燃料消費量及び排出量を削減する必要性は、良く知られている。電気モーターにより駆動される車両は、この様な必要性に対処するものである。しかしながら、電気自動車は、走行可能距離及び最高出力が限られており、バッテリーを充電するのに、かなりの時間を必要とする。それに代わる解決策として、ICE及び電気推進モーターの両方を一つの車両に組合わせるというものがある。その様な車両は、一般的にハイブリッド電気自動車（Hybrid Electric Vehicle略してHEV）と呼ばれており、その概略が、米国特許5,343,970号に開示されている。
【０００３】
HEVについては、種々の構成が公知となっている。多くのHEVの特許は、運転者が電気作動と内燃機関の作動との間で選択することを求められるシステムを開示している。他の構成においては、電気モーターが一組の車輪を駆動し、ICEが別の組を駆動している。
【０００４】
また、他のより有用な構成が開発されてきている。例えば、シリーズ・ハイブリッド電気自動車（Series Hybrid Electric Vehicle略してSHEV）構成は、発電機と呼ばれる電気モーターに接続されるエンジン（最も一般的にはICE）を持つ車両である。そして発電機が、電力を、バッテリー及び推進モーターと呼ばれる別のモーターへ供給する。SHEVにおいては、推進モーターが、車輪トルクの唯一の供給源である。エンジンと駆動輪との間には機械的な結合はない。パラレル・ハイブリッド電気自動車（Parallel Hybrid Electrical Vehicle略してPHEV）の構成は、必要な車輪トルクを共に供給するエンジン（最も一般的にはICE）及び電気モーターを持つものである。加えて、PHEV構成においては、モーターをICEが発生する動力によりバッテリーを充電するための発電機として用いることが出来る。
【０００５】
パラレル／シリーズ・ハイブリッド電気自動車（Parallel/Series Hybrid Electric Vehicle略してPSHEV）は、PHEVとSHEVの両方の構成の特徴を持ち、「スプリット（split）」構成として知られるのが一般的である。
発電機である第１の電気モーターが、サンギアに接続される。ICEは、キャリアに接続される。推進モーターである第２電気モーターが、トランスアクスル内の別の歯車を介して、リング（出力）ギアに接続される。発電機は、必要とされる車輪（出力軸）トルクにも寄与することが出来る。推進モーターは、車輪トルクに寄与すると共に、バッテリーを充電するために制動エネルギーを回収するのに用いられる。この構成において、発電機は、エンジン速度を制御するのに用いられ得る反作用トルクを選択的に供給することが出来る。実際、エンジン、発電機モーター及び推進モーターは、無段変速機（continuous variable transmission略してCVT）の作用をすることが出来る。更に、PSHEVは、エンジン速度を制御するために発電機を用いることにより、通常の車両よりも良好にエンジンのアイドル速度を制御することが出来る。
【０００６】
電気駆動車両（EV）そして、ICEを電気モーターと組合せることの望ましさは、明らかである。ICEの燃料消費量及び排出量が、車両の性能又は走行性を犠牲にすることなしに、削減出来る可能性がある。HEVは、より小さなエンジンの使用、回生制動、電気的なブースト（boost）、そしてエンジンを停止しての車両の運転をも、可能とする。それはともかくとして、HEVの効果を最適化するためには、新しい方法が開発されなければならない。
【０００７】
電気駆動車両を最適化する一つの方法は、効率的なエネルギー管理である。成功したエネルギー管理であれば、燃料経済性を保つと共に、ドライバーの動力要求を常に満たしながら、車両の重要な動作能力を維持する（つまり、電気エネルギーの蓄積量を充分なものとする）はずである。例えば、制御システムは、バッテリーの充電状態（state of charge略してSOC）を、次回のいかなる回生制動エネルギーも受け入れ可能としながら、性能要求を満たすレベルに、維持する必要がある。次回の動力要求又は回生制動の発生の可能性を認識することがなければ、制御システムは、バッテリーのSOCを控え目に見積もらなければならない。
【０００８】
車両システム制御器（vehicle system controller略してVSC）が次回の車両動力要求及び回生制動を予想しそれに適応するのを補助するために考えられる解決策が、グローバル・ポジショニング・システム（global positioning system略してGPS）とデジタル地図のデータベースを使用するナビゲーション・システムの使用である。この考えは、従来技術において知られているものの、その様なシステムは、エネルギー管理及び効率のために、ナビゲーション・システムから引き出され得る情報を完全に利用するものではない。
【０００９】
米国特許5,892,346号は、出発地と目的地に基づきEV又はHEVの電力計画を、作成するものである。ナビゲーション・システムが、目的地までの経路に沿っての距離を車両の航続距離と比較して、適切な経路を設定する働きをする。この発明は、例えば、提案された中で最長の経路を却下することになる走行前計画ツールとしてナビゲーション・システムを用いるものである（米国特許5,832,396及び5,778,326号を参照）。同様に、米国特許5,927,415号は、動力要求への合致を確実なものとするために、HEVのための走行前計画ツールとして、ナビゲーション・システムの前もっての使用を可能とする。
【００１０】
米国特許6,202,024は、「最良走行経路」を提供するために、継続的にナビゲーション・システムを使用することを開示している。この発明は、エネルギー管理に関するものでも、電気自動車に関するものでもない。例えば、それは、ある領域内の複数の車両から受けた道路状態データに基づき、特に、その領域の道路状態のデータベースを作成するために、双方向ナビゲーション・システムを使用することが出来る。複数の車両がアンチロック・ブレーキ・システムの使用又はエアバッグの展開を報告している場合には、「最良走行経路」は、その領域を迂回することになる。
【００１１】
継続的な車両のエネルギー管理のために、地図データベースを持つGPSの様なナビゲーション・システムを緻密に統合することの出来る、EV又はHEV用車両制御システムが、必要とされる。
【００１２】
【発明が解決しようとする課題】
従って、本発明は、電気自動車（EV）とハイブリッド電気自動車（HEV）のエネルギー管理を行なうシステムを完成することを目的とする。
【００１３】
【課題を解決するための手段】
本発明は、発電機モーター、該発電機モーターに接続されるバッテリー、エンジン、並びに上記発電機モーター、上記バッテリー及び上記エンジンに接続された車両システム制御器を持ち、車両の電源停止後の周囲温度を予想するための情報を使用し、周囲の高温が予想され且つ車両の電源がオフされそうであることを判定したときに、上記予想された高い周囲温度に応じて上記バッテリーの目標ＳＯＣが低くなるようにバッテリー調整制御を行ない、周囲の高温が予想された場合であっても上記車両の電源がオフされそうであることを判定しないときには、上記予想された高い周囲温度に応じたバッテリー調整制御を行なわないように構成されている、車両の制御システム及び方法を提供する。
【００１４】
システムは、現在の車両の位置を継続的に測位し、ドライバーの期待を推測する様にVSCに接続された装置、及び、燃料経済性、ドライバーの動力要求及び、バッテリーの機能を適応させる制御、を有するように構成することもできる。また、それが持つ現在の車両の路線位置データの一部として、日付・時間と共に地形、高度、速度制限、停止標識及び交通信号の様な交通を制御するもの、車両ドライバーの運転パターン及び、天候を、含む様に構成され得る。
【００１５】
制御は、離散制御法、ファジー論理又はニューラル・ネットワークを用いる様に構成され得る。
【００１６】
ドライバーの要求又は期待は、予定の走行経路をドライバーが送信するか、車両の場所の地図を探すことに基づくものとすることが出来る。
【００１７】
本発明の他の目的は、本発明の属する分野の当業者には、添付の図面と関連させられた以下の説明から、より明らかになると思われる。
【００１８】
上述の目的、構成などは、以下の説明及び図面を参照することで、明らかになると思われる。
【００１９】
【発明の実施の形態】
本発明は、電気自動車（EV）及びハイブリッド電気自動車（HEV）に関する。ここで提案された制御は、EVとHEVの両方に適用可能であるが、説明目的のためだけに、好ましい実施形態は、HEV用に構成されている。
【００２０】
本発明のHEV制御は、常に、ドライバーの動力要求を満たし、推進モーター用バッテリー・システムの機能を維持しながら、燃料経済性を高めるものである。一体型ナビゲーション・システム（地図データベースにおける車両の現在位置を検出するためのGPSなどの機器）は、いかなるドライバーの要求が予想されるかについての情報を提供することにより、燃料経済性を高める一助となり得る。実施形態の一つにおいて、この情報は、ドライバーが意図する経路をシステムへ伝達すること、又は別の実施形態においては、車両の位置についての地図の予想経路サーチにより、提供され得る。２つの態様について、制御は同じであることが多いものの、経路が既知の場合には、より積極的な制御を実行することも可能である。
【００２１】
本発明をより良く理解するために、図１は、内燃機関と少なくとも一つのモーターを持つパラレル／シリーズ・ハイブリッド電気自動車の（スプリット）構成を示している。基本的なHEVの例において、遊星歯車機構20が、ワンウェイクラッチ26を介して、キャリア歯車22をエンジン24へ機械的に接続する。遊星歯車機構20はまた、サンギア28を発電機モーター30及びリング（出力）ギア32へ、機械的に結合する。発電機モーター30はまた、発電機ブレーキ34に機械的に接続しており、そしてバッテリー36へ電気的に接続している。推進モーター38は、第２歯車機構40を介して遊星歯車機構20のリング・ギア32に機械的に結合されると共に、バッテリー36へ電気的に接続される。遊星歯車機構20のリング・ギアは、出力軸44を介して、駆動輪42に機械的に結合される。
【００２２】
遊星歯車機構20は、エンジン24の出力エネルギーを、エンジン24から発電機モーター30へのシリーズ経路及び、エンジン24から駆動輪42へのパラレル経路へ、分離する。エンジン24の速度は、パラレル経路を介しての機械的結合を維持しながら、シリーズ経路への分離度合を変更することにより、制御することが出来る。推進モーター38は、第２歯車機構40を介してパラレル経路上で駆動輪42へのエンジン24の動力を補助するものである。推進モーター38はまた、シリーズ経路から直接エネルギーを用いる場合があり、これは、本質的には、発電機モーター30が発生する電力を用いるものである。これは、エネルギーをバッテリー36内の化学的エネルギーとの間で変換する際の損失を低減し、変換損失を差し引いた残りのエンジン24の全てのエネルギーが駆動輪42へ到達するのを可能とする。
【００２３】
車両システム制御器（Vehicle System Controller略してVSC）46が、各構成部品の制御器に接続することにより、このHEV構成における多くの構成部品を制御する。エンジン制御ユニット（Engine Control Unit略してECU）48は、配線インターフェースを介して、エンジン24へ接続するものである。全ての車両制御器は、いかなる組合せで物理的に組合わせても、別個のユニットして一つのものとすることも出来る。それらは、別個の機能を持つので、別個のユニットとして記載されている。VSC 46は、制御器領域ネットワーク（Controller Area Network略してCAN）54を介して、ECU 48そしてバッテリー制御ユニット（Battery Control Unit略してBCU）50及びトランスアクスル管理ユニット（Transaxle Management Unit略してTMU）52との間で通信する。BCU 50は、配線インターフェースを介してバッテリー36に接続する。TMU 52は、配線インターフェースを介して、発電機モーター30及び推進モーター38を制御する。
【００２４】
バッテリー36の使用を制御する方法の一つは、それを目標充電状態（SOC）へ制御することである。推進モーター38は、SOCが目標を超えているときに、パワートレインへより意図的に動力を供給するために用いられ得、そしてSOCが目標を下回っているときにはいつでも、エンジン24から直接または回生制動から間接的に、バッテリー38がより積極的に充電される。
【００２５】
HEVに適用され得る作動制御は、少なくとも２つある。いずれの場合においても、システムからの動力に対するドライバーの要求は、時間と共に変化し、VSC 46は、この動力をどの様にして供給するかを判定するための制御を必要とする。「負荷平準化」制御において、エンジン24の動力は、比較的一定に保持され、推進モーター38の動力は、動力の合計がドライバーが要求する動力に等しくなるのを確実なものとする様に、変更される。これは、エンジン24が、高い燃料経済性につながる効率的な動作点で動作するのを可能とする。加えて、電気駆動システムは、極めて迅速に応答することが出来るので、応答性の高い走行感覚を提供する。「負荷追従」制御においては、エンジン24の動力は、ドライバーが要求する動力にほぼ沿う様に、より迅速に変化し、そして推進モーター38は、エンジン24が停止しているとき又は、エンジン24の動力がドライバーの要求を満たすのに充分な程早く変更され得ないときにのみ、用いられる。これは、バッテリー36の電力使用量を落とし、それにより、劣化を減ずる。これは、応答性の高い走行感覚をまだ提供しながら、バッテリー36の寿命を延ばすことになる。
【００２６】
VSC 46は、バッテリー36の寿命を延ばしながら、バッテリー36の機能を維持する、バッテリー調節制御を含むことが出来る。バッテリーの各種パラメーターの制御器（不図示）により用いられ得るバッテリー36の調節制御は、複数のセルにわたり電荷をつり合わせる高い充電状態までバッテリーを充電する工程、充電状態の推測ルーチンを校正するために、非常に低いか非常に高い充電状態までバッテリーを放電又は充電する工程、いかなる記憶効果も消去するために、例えば目標SOCを動かすことにより、バッテリーの充放電パターンを変更する工程、バッテリー・システム電流センサーの再ゼロ設定を可能とするために、バッテリーから全ての負荷を切離す工程、又は、ラジエーター又は空調機器の様な冷却システム（不図示）でバッテリーを冷却する工程、を有する。
【００２７】
一般的に、本発明は、デジタル地図データベースを持つグローバル・ポジショニング・システム（GPS）の様なナビゲーション・システムからの情報との、VSC 46の組合わせである。GPSと地図が統合されたVSC 46は、地域の地形に適応することが出来、この地形には、精度をはるかに高めることが出来る、勾配、地形及び道路構造が含まれ得る（しかし、限定するものではない）。
【００２８】
高い燃料経済性を達成し、要求される性能を発するという目標をつり合せるために、本発明の制御は、より効率的なとき、又はエンジン24がそれだけではドライバーの要求を満たすことが出来ないときにはいつでも、推進モーター38を用いることが出来る。同時に、この制御は、バッテリー36の充電状態（SOC）が来るべき性能要求に合致するには低すぎることがなく、来るべき回生制動エネルギーを受け容れるには高すぎることのない様に、バッテリー36のSOCを管理する必要がある。ナビゲーションに基づく情報が、VSC 46による制御の判断に一体化されるならば、来るべき要求を確実に満たしながら、あまり控え目ではない制御判断が可能である。
【００２９】
性能要求を満たす一般的な例を用いることにより、ナビゲーション・システムから来るべき位置データから、車両近辺に勾配の変化があまりないことを、VSC 46が判っている場合には、それは、短期的な勾配性能目標を確実に満たしながら、効率目標を満たす様に、バッテリー36のSOC範囲をより広く使うことが出来る。反対に、ナビゲーション・システムから引き出されるデータが、車両の進行方向に山岳地形を示す場合には、VSC 46は、制御を変更することにより、勾配性能要求に沿うことが出来る。また、ナビゲーション・システムが車両が高速道路に入りそうであることを示しているときには、車両が高速道路に合流するときの加速の急激な増大要求に対して備えるために、エンジン24を作動させることが出来る。そして最後に、ナビゲーション・システムが引き出した情報と統合されてVSC 46が、交通信号のある交差点が頻繁にあること、又は近辺の交通量が多いことを示す場合には、制御は、低速で発進停止が頻繁にある運転パターンが近い将来起こり易いと予想し、それに従い制御方法を変更することが出来る。
【００３０】
本発明の制御の第２の一般的な目標は、バッテリー36の充電状態（SOC）の維持である。一般的に、VSC 46は、アクセル・ペダル位置や、空調などの車両補機負荷の様な、現在の動作状態からバッテリー36のSOCを維持する。これら測定された条件は、現在及び過去の作動状況に反映され、将来のエネルギー要求を予想するために用いられる。過去の状態が将来の状態に合致しているときには、過去のデータに基づくエネルギー管理が、行なわれ、許容可能である。しかしながら、将来の状態が過去のものから大きく変化する場合には、過去のデータに基づくエネルギー管理の仮定が、車両性能の妥協につながることになる可能性がある。
【００３１】
例えば、VSC 46の中に一体化された地図一体型ナビゲーション・システムを持つグローバル・ポジショニング・システムの様な経路誘導システムは、来るべき車両高度勾配の知識を加えることにより、バッテリー36のSOC状態の妥協を減ずることが出来る。都市走行中においては、交差点における発進停止の回数が予想され得る。加えて、リアルタイムの交通情報を用いることにより、交通密度もまた、エネルギー管理において、考慮され得る。
【００３２】
この制御の好ましい実施形態において、VSC 46は、既知の目的地へ向かいながら（つまり従来技術の走行前計画ツールとしてではなく）、ナビゲーション・システムの情報をエネルギー管理に緻密に統合させる。この取組みは、次の段階では、充放電制御に影響を与えるために、地図データベースからの道路ネットワーク情報を用いる。一つの取組みは、ナビゲーション経路を取り込み、地図データベースから引出され得る高度勾配などの要因に基づき、充放電サイクルを計画することである。この方法において、エネルギー管理制御器は、動力レベルの適切な予定を計画することが出来る。
【００３３】
別の実施形態は、経路の距離又は時間を予め表示する。それは、例えば交通状態と共に前方に予想される下り（又は上り）勾配に基づき、補機負荷の判定に影響を与える。ナビゲーション・システムが導く情報のリアル・タイムの使用は、走行しながら、補機の負荷のためのエネルギーと回生制動のより効率的な使用を可能とすることになる。
【００３４】
GPS／地図のデータは、本発明の有用なエネルギー管理の取組みを可能とする。表１は、GPSナビゲーション・システムから利用可能な情報と、それからVSC 46が推測することが出来るドライバー要求の予想の例を示す。
【表１】
0004637443.tif 000002
【００３５】
図２は、本発明の一体型ナビゲーション・システムを持つVSC 46のエネルギー管理制御を示している。GPS及び地図を持つナビゲーション・システム56は、車両燃料効率と走行距離が増加する様に、バッテリー36と回生制動システム62を管理するために、VSC 46により用いられ得る。
【００３６】
GPSと地図のナビゲーション・システム56は、入力として、目標とする出発・到着時間及び場所を、持つ。それはまた、交通情報、道路状態及び地形情報を、受けることが出来る。GPSと地図ナビゲーション・システム56は、これらの情報から車両の発進・停止及び加減速の回数を予想することが出来る。そのデータは、車速センサー（不図示）から予想された車速と共に、エネルギー管理制御器58へ入力することが出来る。エネルギー管理制御器58は、VSC 46の機能の一部であるが、発明の理解を助けるために、別個に示されている。
【００３７】
エネルギー管理制御器58は、回生制動システム（regenerative braking system略してRBS）62と相互作用する回生ブレーキ・システム制御器60に起こり得る走行サイクルを最も適合する様に、回生制動過程の出力を調整するために、出力パラメーターを決定することが出来る。エネルギー管理制御器58はまた、VSC 46とBCU 50へSOCの理想とする目標範囲を出力することが出来る。
【００３８】
例示だけの目的で述べると、経路に高速部分と長い登降坂があることが予想されると、積極的な回生制御と、バッテリー36のエネルギーを蓄える出来るだけ大きな余裕を持つことが、必要となる。反対に、平坦な地形における殆ど一定の速度での経路は、エネルギーを回生する機会が殆どなく、追い越し力のために出来るだけ高いSOCが必要とされることになる。
【００３９】
市街地走行サイクル（Federal Urban Driving Schedule）及び高速走行サイクル（Highway Driving Schedule）が、走行サイクルにエネルギー管理の利益が合致していることの確認となった。比較的相互作用的でない（それでより保守的である）バッテリー・システムにおいては、バッテリーが常に回生エネルギーを収集するある程度の余裕を持ちながら、決して車両を発進するには低すぎることがないのを、確実なものとするために、制御器が、SOCを固定の目標帯域（例えば、40〜70 %）に合致させようとする。
【００４０】
本発明は、複数のSOC目標範囲を許容する。例えば、登降坂のある高速サイクルが、40〜60 %の目標ウインドウに最も良く合致する。高速であるが、平坦な地形のサイクルには、60〜80 %の目標ウインドウに最も良く合致する。
【００４１】
本発明は、古典制御、離散制御法、ファジー論理又はニューラル・ネットワークを用いて、実行され得る。ファジー論理制御は、制御階層内のルールに基づく方法を組み込んだ取組みである。ニューラル・ネットワーク制御は、従来の例を用いて、学習された訓練データに基づく将来の出力をモデル化する様に訓練されたセルのネットワークを用いるものである。
【００４２】
図３は、古典離散論理制御を用いた、本発明のエネルギー管理制御方法の論理フローを示している。VSC 46内のエネルギー管理制御器58は、表１に示されたドライバー要求の予想に基づき、システムが燃料経済性を最適化し、その推進バッテリーの機能を保護し、ドライバーの要求に合致するのを、確実なものとする、動作をとることが出来る。図３に示された論理判断をより良く理解するために、制御内の以下の仮定がなされる。
−  上り急勾配が予想されるときには、VSCは、車両に登坂させる様にドライバーの動力要求が高まるときに、電気的な補助を行い、エンジンがその理想的な効率曲線上に留まるのを可能とするのに充分なバッテリー電力が存在する様に、バッテリーのSOCを高い値にまで制御する。
−  下り急勾配が予想されるときには、車両に制御された態様で勾配を下らせる様にドライバーの負の（制動）動力に対するドライバー要求が起こるときに、この制御は、捕捉することが可能な回生制動エネルギーの量を最大化することが出来る様に、バッテリーのSOCを低い値にまで制御することが出来る。
−  市街地道路構造が長く続くことが予想されるときに、制御は、バッテリーの出力が大きくなることになるかなり頻繁な発進停止を予想することが出来、そして制御は、バッテリーの機能を保護するために、より負荷追従型の態様で動作することを選択することが出来る。
−  同様に、大きなバッテリー出力を起こすことになる、頻繁な上り下り勾配のある長い登降坂道路構造が予想されるときには、制御は、バッテリーの機能を保護するために、より負荷追従型の態様で動作することを選択できる。
−  適度に高速で平坦な高速道路の路面から推測される、軽負荷状態が予想されるときには、制御は、この間に電力要求が変化することが考えにくいと判断し、バッテリー調整制御を可能とすることを選択することが出来る。
−  同様に、適度に高速で平坦な高速道路の路面から推測される、軽負荷状態が予想されるときには、制御は、推進バッテリーの重大な損傷なしに、素早い応答を行なう、負荷平準化制御で動作することを、選択することが出来る。
−  高温が予想されるとき（具体的には、近い将来車両の電源がオフにされそうであるか否かが、例えば、特定の走行が目前で終了したことにより、推定されるとき）、制御は、車両の電源がオフにされ駐車しているときの自己放電量を減少させるために、低い目標SOCで動作することを選択することが出来る。
−  同様に、長期間の低温が予想されるとき（具体的には、例えば、特定の走行の目前の完了により推測されて、車両の電源が近い将来にオフにされそうであることが判るとき）、この制御は、車両の電源がオフにされ駐車した後で車両を再発進することが出来る様に充分なエネルギーが利用可能であることを確実なものとするために、より高い目標SOCで動作することを選択することが出来る（これは、推進バッテリーがまた、エンジン始動電源としても機能する場合には、特に重要である）。
−  高速道路への進入が予想されるときには、この制御は、内燃機関が作動中でない場合にそれを作動させること、又はエンジンが作動中である場合にバッテリーを充電することのいずれかにより、ドライバーが要求する動力の増大に対する備えをすることを選択し得る。
【００４３】
図３の論理フローチャートに戻ると、ステップ70において、制御は、ナビゲーション・システムから入力される（ドライバー又は地図のいずれかから生成される）走行経路情報を受ける。制御は、ステップ72において、システムの予想を判定するために、走行経路の解析を命令し、ステップ74において、通常のSOC目標を持ちバッテリー調整を持たない負荷追従型制御を想定する。
【００４４】
次に、ステップ76において、制御は、大きな勾配変化又は頻繁な発進停止が予想されるか否かを、判定する。YESの場合に制御は、ステップ78において、この予想に適応して、バッテリーを保護するために、負荷追従型に移行し、ステップ70へ戻る。NOの場合に制御は、ステップ80において、大きな下り勾配又は高速からの減速が予想されるか否かを判定する。YESの場合に制御は、例えば、ステップ82においてバッテリーを放電することにより、この予想に適応するために変化し、そしてステップ70へ戻る。
【００４５】
NOの場合に制御は、ステップ84において、大きな上り勾配又は高速道路への加速が予想されるか否かを、判定する。YESの場合には、制御が変化して、例えば、ステップ86において、バッテリーを充電することにより、この予想に適応して、ステップ70へ戻る。NOの場合には、制御は次に、ステップ88において、軽負荷が続くことが予想されるか否かを判定する。YESの場合に、制御は更に、ステップ90において、バッテリー調整が必要とされているか否かの判断を行なう。YESの場合に、制御は、ステップ92において、バッテリー調整制御を作動させ、ステップ70へ戻る。ステップ90においてバッテリー調整が必要とされていない場合に、制御は、例えばステップ94において燃料経済性を向上するための負荷平準化制御に移行することにより、この予想に適応するために変化し、そしてステップ70へ戻る。
【００４６】
ステップ88において、軽負荷が予想されていない場合には、ステップ96において、制御は、周囲の高温が予想されるか否かを判定する。YESの場合には、制御は更に、ステップ98において、車両の電源がすぐにオフにされそうであるか否かを判定する。ステップ98においてYESの場合に、制御は、例えばステップ100においてバッテリーSOCを減少させることにより、この予想に適応するために変化し、そしてステップ70に戻る。ステップ96又は98がNOの場合には、制御は、ステップ102において、低い周囲温度が予想されるか否かを判定する。ステップ102においてYESの場合に、制御は、ステップ106においてこの予想に適応するために変化し、そしてステップ70に戻る。ステップ102における判断がNOである場合に、制御は次に、車速の増加が予想されるか否かを、例えばステップ104において、高速道路への入口が予想されるか否かの判断を行なう。YESの場合には、制御は、ステップ108においてエンジンを作動させ、そしてステップ70へ戻る。そうでなければ、制御は単純にステップ70へ戻る。
【００４７】
本発明の上述の実施形態は、純粋に例示目的でなされている。本発明は更に多くの変更、改良そして適用が、なされ得る。
【発明の効果】
以上述べた様に本発明によれば、電気自動車又はハイブリッド電気自動車のエネルギー管理を行なう車載ナビゲーション・システムを完成することが出来る。
【図面の簡単な説明】
【図１】一般的なハイブリッド電気自動車（HEV）の構成を示す図である。
【図２】本発明による一体型ナビゲーション・システムを持つ車両システム全体のエネルギー管理制御を示す図である。
【図３】本発明による本発明のエネルギー管理制御の論理フローチャートである。
【図３Ａ】図３のフローチャートの続きである。
【符号の説明】
24  エンジン
30, 38  電気モーター
36  バッテリー
46  車両システム制御器
【図１】
0004637443.tif 000003
【図２】
0004637443.tif 000004
【図３】
0004637443.tif 000005
【図３Ａ】
0004637443.tif 000006